(57)【要約】【課題】子供の発育に合わせて頭部保護パッドの取り付け位置を容易に調整することができる頭部保護パッド付き育児用椅子を提供する。【解決手段】育児用椅子１０は、子供の尻部を支える座部１１と、子供の背部を支える背もたれ部１２と、背もたれ部１２に取り付けられたパッド１３を備える。そして、パッド１３は、背もたれ部１２との取り付け箇所１６を支点として上下に折り返し可能であり、上方に折り返されて座高の高い子供の頭部を保護する上方位置にされ、下方に折り返されて座高の低い子供の頭部を保護する下方位置にされる。【選択図】図３
2010253977.tif 000002
【特許請求の範囲】
【請求項１】
子供の尻部を支える座部と、子供の背部を支える背もたれ部と、前記背もたれ部に取り付けられたパッドを備え、
前記パッドは、前記背もたれ部との取り付け箇所を支点として上下に折り返し可能であり、上方に折り返されて座高の高い子供の頭部を保護する上方位置にされ、下方に折り返されて座高の低い子供の頭部を保護する下方位置にされる、育児用椅子。
【請求項２】
前記背もたれ部の上方から下方に向かって延び子供の背部を背もたれ部に固定する肩ベルトをさらに備え、
前記パッドは前記肩ベルトが貫通するベルト通し孔を有し、該ベルト通し孔を貫通する肩ベルトが前記パッドを前記下方位置に固定する、請求項１に記載の育児用椅子。
【請求項３】
前記パッドは、二つ折り可能な平面形状であって、上部が前記背もたれ部の表面に沿って固定され、下部が前記上部に重なるよう折り返し可能である、請求項１または２に記載の育児用椅子。
【発明の詳細な説明】
【技術分野】
【０００１】
本発明は、乳母車および自動車用子供座席の主要構成部品になる育児用椅子に関し、特に育児用椅子に取り付けられて、着座中の乳幼児の頭部を好適に保護する頭部保護パッドに関する。
【背景技術】
【０００２】
子供の頭部を保護するために自動車用子供座席の背もたれ部上に配置される頭部保護パッドとしては従来、例えば、特開２００６−２７３２５６号公報（特許文献１）に記載のごときものが知られている。特許文献１に記載の頭部保護パッドは、子供の両側頭部に沿って位置する１対の側壁パッド部および子供の頭頂部に沿って位置する上壁パッド部を有する。
【先行技術文献】
【特許文献】
【０００３】
【特許文献１】特開２００６−２７３２５６号公報
【発明の概要】
【発明が解決しようとする課題】
【０００４】
しかし近年の自動車用子供座席の高付加価値化の要求のもと、上記従来のような頭部保護パッドにあっては、以下に説明するような改善点が要求されるようになった。つまり、着座者である子供は、乳児から幼児へと座高が伸びて成長することから、現在の使用時において従来技術の頭部保護パッドが子供の頭部にフィットして頭部を適切に保護することができても、将来の使用時において頭部保護パッドは子供の頭部にフィットし辛い。また、頭部保護パッドの取り付け位置を上下方向調整可能に子供座席本体に取り付けることも考えられるが、取り付けおよび取り外しの調整作業に手間を要し使い辛いという問題がある。
【０００５】
本発明は、上述の実情に鑑み、子供の発育に合わせて頭部保護パッドの取り付け位置を容易に調整することができる頭部保護パッド付き育児用椅子を提供することを目的とする。
【課題を解決するための手段】
【０００６】
この目的のため本発明による育児用椅子は、子供の尻部を支える座部と、子供の背部を支える背もたれ部と、背もたれ部に取り付けられたパッドを備える。そして、パッドは、背もたれ部との取り付け箇所を支点として上下に折り返し可能であり、上方に折り返されて座高の高い子供の頭部を保護する上方位置にされ、下方に折り返されて座高の低い子供の頭部を保護する下方位置にされる。
【０００７】
かかる本発明によれば、パッドが、上方に折り返されて座高の高い子供の頭部を保護する上方位置にされ、下方に折り返されて座高の低い子供の頭部を保護する下方位置にされることから、極めて容易な操作によりパッドの取り付け位置を調整することが可能になる。本発明の育児用椅子は、乳母車の椅子本体としても、自動車用子供座席の椅子本体としても適用可能である。
【０００８】
本発明のパッドは自らの重力により下方位置にされてもよいし、ボタン止め、ひも止め、あるいは面ファスナ等によって上方位置および下方位置にそれぞれ固定されてもよいが、ここで好ましくは、背もたれ部の上方から下方に向かって延び子供の背部を背もたれ部に固定する肩ベルトをさらに備え、パッドは肩ベルトが貫通するベルト通し孔を有し、該ベルト通し孔を貫通する肩ベルトがパッドを下方位置に固定する。かかる実施形態によれば、肩ベルトがパッドを貫通固定することから、パッドが背もたれ部の表面でずれることがなく、着座者である子供にとって使い心地性能が向上する。
【０００９】
本発明のパッドは、一実施形態に限定されるものではないが、二つ折り可能な平面形状であって、上部が背もたれ部の表面に沿って固定され、下部が上部に重なるよう折り返し可能であってもよい。かかる実施形態によれば、パッド下部がパッド上部に重なるよう折り返し可能であることから、上方位置にされたパッドは、２倍の厚みになり頭部の保護効果が向上する。また、パッド下部が下方位置に戻された状態であってもパッド上部が上方位置に固定されていることから、着座者である子供が成長しても敢えてパッド下部を下方位置にしておくことで、子供の頭部、肩部、および背部を広く保護することができる。
【発明の効果】
【００１０】
このように本発明のパッドは、背もたれ部との取り付け箇所を支点として上下に折り返し可能であることから、身長および座高の低い子供の頭部も保護することができるのみならず、身長および座高の高い子供の頭部も保護することができ、しかも、頭部を適切に保護するようパッドの上下位置調節が極めて容易である。
【図面の簡単な説明】
【００１１】
【図１】本発明の一実施例になる育児用椅子を示す正面図であり、パッドが下方位置にされた状態を示す。
【図２】同実施例になる育児用椅子を示す正面図であり、パッドが上方位置にされた状態を示す。
【図３】同実施例になる育児用椅子を示す側面図である。
【図４】本発明の他の実施例になる育児用椅子を示す正面図であり、パッドが下方位置に固定された状態を示す。
【図５】同実施例になる育児用椅子を示す正面図であり、パッドが上方位置に固定された状態を示す。
【図６】同実施例になる育児用椅子を示す側面図である。
【発明を実施するための形態】
【００１２】
以下、本発明の実施の形態を、図面に示す実施例に基づき詳細に説明する。
【００１３】
図１は本発明の一実施例になる育児用椅子を示す正面図であり、パッドが下方位置にされた状態を示す。図２は同実施例になる育児用椅子を示す正面図であり、パッドが上方位置にされた状態を示す。図３は同実施例になる育児用椅子を示す側面図である。
【００１４】
育児用椅子１０は、着座者である子供（図示せず）の尻部を支える座部１１と、子供の背部を支える背もたれ部１２と、背もたれ部１２に取り付けられたパッド１３を備える。背もたれ部１２はリクライニング可能であり、ほぼ水平まで倒されることにより育児用椅子１０は育児用ベッドとしても機能する。
【００１５】
この育児用椅子１０は、座部１１の骨格を形成する図示しないパイプと、背もたれ部１２の骨格を形成する図示しないパイプと、図示しない左右１対の前脚と、図示しない左右１対の後脚とからなるフレーム構造に取り付けられて、これら前脚および後脚の下端に設けられたキャスター輪によって走行可能な乳母車の一部をなす。あるいは育児用椅子１０は、一般乗用車の乗員用シートのうえに固定可能な図示しないベース部の上に取り付けられて、子供を乗員用シートに安全に固定するチャイルドシートの一部をなす。
【００１６】
パッド１３は、柔らかな平面状のクッションを半円形、すなわち角度１８０度の扇形、の形状に縫製したものである。この形状にしたのは、着座者である子供の頭部および両肩部を好適に保護することができるからである。なおパッド１３は、縦横比１：１の真円を半分に分割した半円形状であってよいほか、幅方向に長い横長の半楕円形状であってもよいし、上下方向に長い縦長の半楕円形状であってもよい。
【００１７】
パッド１３は半円形状であることから、周方向略１８０度に亘って左右幅方向に延びる円弧状周縁１４と、直径に相当する直線状周縁１５とを備える。このうち、円弧状周縁１４の周方向中央部１６が背もたれ部１２の表面に縫着固定されている。そして図３に実線および想像線で示すように、直線状周縁１５が上述した周方向中央部１６を支点として上下に折り返し可能である。つまり育児用椅子１０の側面視（図３）においてパッド１３は、円弧状周縁１４の周方向中央部１６を基端とし、直線状周縁１５を遊端として、揺動することができる。
【００１８】
上下に折り返し可能なパッド１３が、図１および図３実線で示す下方位置にされた状態では、座高の低い乳児の頭部を保護することができる。パッド１３の左右両側部は、ボタンあるいは面ファスナによって下方位置からずれないよう固定される。あるいは、重力の作用によって、下方位置にされてもよい。
【００１９】
これに対し、図１に示すパッド１３が折り返されると、下方位置で表側に露出していたパッド１３の表面が背もたれ部１２と接触して裏側になり、下方位置で背もたれ部１２と接触して隠れていたパッド１３の裏面が表側に露出し、図２および図３想像線で示す上方位置にされる。上方位置にされたパッド１３は、座高の高い幼児の頭部を保護することができる。パッド１３の直線状周縁１５は、背もたれ部１２の上端にボタンあるいは面ファスナによって固定される。
【００２０】
なお、図には示さなかったが、パッド１３の形状を、上述した半円形に代えて、角度１８０度未満の扇型にしてもよく、あるいは、長方形、正方形、その他の多角形にしてもよいこと勿論である。
【００２１】
次に本発明の他の実施例を説明する。図４は本発明の他の実施例になる育児用椅子を示す正面図であり、パッドが下方位置に固定された状態を示す。図５は同実施例になる育児用椅子を示す正面図であり、パッドが上方位置に固定された状態を示す。図６は同実施例になる育児用椅子を示す側面図であり、実線が上方位置における使用状態を、想像線が下方位置における使用状態を表す。かかる他の実施例の育児用椅子２０につき、上述した実施例と共通する構成については同一の符号を付して説明を省略し、異なる構成について以下に説明する。他の実施例では図４に示すように、パッド１３の周方向中央部１６から突出するようパッド１３を２倍の大きさに延設してパッド上部２２とする。
【００２２】
図４に示すように、パッド上部２２はパッド１３と同じ形状、同じ材質、同じ厚みの半円形平面状であり、互いに一体形成される。換言すると、パッド１３およびパッド上部２２が一体形成された育児用椅子２０の頭部保護パッドは、平面形状であって、上下方向中央部がくびれ、上端部および下端部が上下方向中央部よりも幅方向に広い、鼓型のパッドである。
【００２３】
パッド上部２２は背もたれ部１２の表面に沿って縫着固定され、パッド上部２２に対してパッド下部に相当するパッド１３は、自らの重力によってパッド上部２２の下方に位置する。
【００２４】
パッド１３は、育児用椅子２０に設けられた左右一対の肩ベルト２３，２４が貫通する左右一対のベルト通し孔２５，２６を有する。ここで左右一対の肩ベルト２３，２４につき説明すると、肩ベルト２３，２４は帯状の布製であり、肩ベルト２３，２４の根元部は、背もたれ部１２に設けられたベルト孔１７またはベルト孔１８を通されて育児用椅子２０に固定される。これに対し、肩ベルト２３，２４の先端部は、座部１１に設けられて上方へ延びる股ベルト２７の上端とバックル２８を介して着脱可能に連結される。子供を座部１１に座らせ、子供の両脚の間から股ベルト２７を直立させて、左右一対の肩ベルト２３，２４先端を股ベルト２７上端のバックル２８に差込固定することにより、肩ベルト２３，２４が子供の両肩を上下方向に通過する。これにより、子供は育児用椅子２０から放り出されないよう安全に固定される。
【００２５】
背もたれ部１２に設けられたベルト孔１７，１８は、いずれも左右一対をなし、ベルト孔１７が座高の高い子供用の調整孔であり、ベルト孔１８が座高の低い子供用の調整孔である。すなわち、ベルト孔１７は左右一対の孔１７ｌ、１７ｒを有し、背もたれ部１２の上端部に設けられる。またベルト孔１８は左右一対の孔１８ｌ、１８ｒを有し、背もたれ部１２の上下方向中央部に設けられる。肩ベルト２３，２４はベルト孔１７またはベルト孔１８に選択的に通されて固定されることで、高さ位置が調整される。
【００２６】
説明をパッド１３に戻すと、右ベルト通し孔２５は、パッド１３の右側部に設けられる。より具体的には、パッド１３の円弧状周縁１４のうち周方向右端部の近傍、かつ直線状周縁１５の右端部の近傍に設けられる。左ベルト通し孔２６は、パッド１３の左側部に設けられる。より具体的には、パッド１３の円弧状周縁１４のうち周方向左端部の近傍、かつ直線状周縁１５の左端部の近傍に設けられる。
【００２７】
乳児など座高の低い子供を育児用椅子２０に乗せる場合、図４に示すように、パッド１３を下方位置に折り返す。このとき、パッド上部２２はパッド１３よりも上方に在って背もたれ部１２の表面に露出する。
【００２８】
パッド１３が下方位置に折り返された状態で、パッド１３の右ベルト通し孔２５は背もたれ部右側のベルト孔１８ｒとほぼ一致し、パッド１３の左ベルト通し孔２６は背もたれ部左側のベルト孔１８ｌとほぼ一致する。このため、ベルト孔１８ｒに通されて背もたれ部１２に表れる肩ベルト２３の根元部を、パッド１３の右ベルト通し孔２５に貫通させることで、パッド１３の右側部を背もたれ部１２の下方位置に固定することができる。
【００２９】
同様に、ベルト孔１８ｌに通されて背もたれ部１２に表れる肩ベルト２４の根元部を、パッド１３の左ベルト通し孔２６に貫通させることで、パッド１３の左側部を背もたれ部１２の下方位置に固定することができる。なお、図６には、下方位置に折り返されたパッド１３を想像線で示す。
【００３０】
幼児など座高の高い子供を育児用椅子２０に乗せる場合、図５に示すように、パッド１３を上方位置に折り返す。このとき図６に実線で示すように、パッド上部２２はパッド１３の裏側に重なって隠れる。
【００３１】
パッド１３が上方位置に折り返された状態で、パッド１３の右ベルト通し孔２５は背もたれ部１２の上端右側に設けられた留め具２９とほぼ一致し、パッド１３の左ベルト通し孔２６は背もたれ部１２の上端左側に設けられた留め具３０とほぼ一致する（図６）。このため、留め具２９を、右ベルト通し孔２５に係合させることで、パッド１３の右側部を背もたれ部１２の上方位置に固定することができる。
【００３２】
同様に、留め具３０を、パッド１３の左ベルト通し孔２６に係合させることで、パッド１３の左側部を背もたれ部１２の上方位置に固定することができる。
【００３３】
ところで上述した各実施例によれば、子供の尻を支える座部１１と、子供の背中を支える背もたれ部１２と、背もたれ部１２に取り付けられたパッド１３を備えた育児用椅子１０，２０において、パッド１３は、円弧状周縁１４の周方向中央部１６を背もたれ部との取り付け箇所（支点）として裏返すように上下に折り返し可能であり、上方に折り返されて座高の高い子供の頭部を保護する上方位置にされ（図２、図５）、下方に折り返されて座高の低い子供の頭部を保護する下方位置にされる（図１、図４）。したがって、極めて容易な操作によりパッド１３の取り付け位置を調整することが可能になる。
【００３４】
また上述した実施例によれば、背もたれ部１２の上方から下方に向かって延び子供の背中を背もたれ部１２に固定する肩ベルト２３，２４をさらに備え、パッド１３は肩ベルト２３，２４が貫通するベルト通し孔２５，２６を有し、これらベルト通し孔を貫通する肩ベルトが図４に示すようにパッド１３を下方位置に固定する。したがって、パッド１３が背もたれ部１２に確りと固定されて背もたれ部表面でずれることがなく、着座者である子供にとって使い心地性能が向上する。
【００３５】
また上述した実施例によれば、パッド１３は角度１８０度の扇形になる半円形状であり、パッド１３の円弧状周縁１４のうち周方向中央部１６が背もたれ部１２の表面に固定され、パッド直線状周縁１５が上下方向に折り返されることから、円弧状周縁１４のうち周方向左右両端部が背もたれ部１２の幅方向全体亘って広がり、子供の頭部を幅方向広範囲に保護することができる。
【００３６】
また上述した他の実施例によれば、パッド１３はパッド上部２２とともに、二つ折り可能な平面形状であって、パッド上部２２が背もたれ部１２の表面に沿って固定され、下部のパッド１３が図６に示すようにパッド上部２２に重なるよう折り返し可能であることから、上方位置にされたパッドは２倍の厚みになり頭部の保護効果が向上する。
【００３７】
また上述した他の実施例によれば、図４に示すように下部のパッド１３が下方位置に戻された状態であってもパッド上部２２が上方位置に固定されていることから、着座者である子供が成長しても敢えてパッド下部を下方位置にしておくことで、子供の頭部をパッド上部２２で保護し、肩部および背部を下方位置のパッド１３で広く保護することができる。
【００３８】
なお、図４に示す実施例では、パッド１３およびパッド上部２２が一体形成された鼓型のパッドとしたことから、上下方向中央部のくびれ部分で折り返しを容易に行うことができるという利点を有するが、鼓型以外の実施例も勿論可能である。例えば、パッド下部をパッド上部よりも小さい形状とし、パッド下部を上方位置に折り返したときに、パッド下部がパッド上部の一部と重なるよう構成してもよい。
【００３９】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００４０】
この発明になる育児用椅子は、乳母車およびチャイルドシートにおいて有利に利用される。
【符号の説明】
【００４１】
１０  育児用椅子、１１  座部、１２  背もたれ部、１３  パッド（パッド下部）、１４  円弧状周縁、１５  直線状周縁、  １６周方向中央部（支点）、１７，１８  ベルト孔、２０  育児用椅子、２２  パッド上部、２３，２４  肩ベルト、２５，２６  ベルト通し孔、２７  股ベルト、２８  バックル。
【図１】
2010253977.tif 000003
【図２】
2010253977.tif 000004
【図３】
2010253977.tif 000005
【図４】
2010253977.tif 000006
【図５】
2010253977.tif 000007
【図６】
2010253977.tif 000008